(57)【特許請求の範囲】
【請求項１】
扁平構造体ユニット（３）の係止及び係止解除のための操作部材であって、
扁平構造体ユニット（３）との結合のために設けられた端部片（１１）及び、
操作レバー（１２）を有しており、
該操作レバーが端部片（１１）に回転可能に支承されていて、少なくとも
グリップ部分（１２２）及び閉鎖スライダー（１２３）を備えており、
該閉鎖スライダーが少なくとも２つの切換位置（Ａ，Ｂ）間で移動可能であり、
第１の切換位置（Ａ）で操作レバー（１２）を、扁平構造体ユニット（３）の係止状態に対応する第１のポジション（Ｃ）に保持し、かつ
第２の切換位置（Ｂ）で操作レバー（１２）を解放するようになっており、
この場合、閉鎖スライダー（１２３）が操作スライダー（１２３０）を有しており、操作スライダーがグリップ部分（１２２）に沿って移動可能である形式のものにおいて、
操作スライダー（１２３０）がグリップ部分（１２２）の上側（１２２４）に沿って移動可能であることを特徴とする、扁平構造体ユニットの係止及び係止解除のための操作部材。
【請求項２】
グリップ部分（１２２）が外側にくぼみ（１２２５）を有しており、該くぼみ内を操作スライダー（１２３０）が移動可能である請求項１記載の操作部材。
【請求項３】
操作スライダー（１２３０）が扁平である請求項１又は２記載の操作部材。
【請求項４】
操作スライダー（１２３０）が外側にくぼみを有している請求項２から５のいずれか１項記載の操作部材。
【請求項５】
操作スライダー（１２３０）が外側にリブを有している請求項１から４のいずれか１項記載の操作部材。
【請求項６】
スイッチ部材（１１２）、特にマイクロスイッチが端部片（１１）内に組み込まれており、閉鎖スライダー（１２３）が第１の切換位置（Ａ）でスイッチ部材（１１２）を作動させるようになっている請求項１記載の操作部材。
【請求項７】
スイッチ部材（１１２）の作動のための閉鎖スライダー（１２３）が、グリップ部分（１２２）内に組み込まれたスイッチスライダー（１２３１）を有している請求項６記載の操作部材。
【請求項８】
スイッチ部材（１１２）、特にマイクロスイッチが端部片（１１）内に組み込まれており、第１の切換位置（Ａ）でのマイクロスイッチ（１１２）の作動のための閉鎖スライダー（１２３）が、グリップ部分（１２２）内に組み込まれたスイッチスライダー（１２３１）を有しており、
閉鎖スライダー（１２３）の操作スライダー（１２３０）及びスイッチスライダー（１２３１）が移動方向（Ａ−Ｂ）に対してほぼ垂直に配置されていて、結合部材（１２３６）を介して互いに結合されている請求項１から７のいずれか１項記載の操作部材。
【請求項９】
操作レバー（１２）がばね手段（１２４）を有しており、ばね手段が閉鎖スライダー（１２３）に押圧力を生ぜしめるようになっており、押圧力が第１の切換位置（Ａ）に向けられている請求項１から８のいずれか１項記載の操作部材。
【請求項１０】
グリップ部分（１２２）が付加的に係止及び係止解除レバー片（１２１）を有しており、係止及び係止解除レバー片が少なくとも部分的に耐摩耗性の材料から成っている（図２）請求項１から９のいずれか１項記載の操作部材。
【請求項１１】
係止及び係止解除レバー片（１２１）が、耐摩耗性の材料から成る少なくとも１つのレバー係止及び係止解除突起（１２１０，１２１１）を有している請求項１０記載の操作部材。
【請求項１２】
操作レバー（１２）のグリップ部分（１２２）が、人間工学的に良好に成形可能な材料、特にプラスチックから成っている請求項１から１１のいずれか１項記載の操作部材。
【請求項１３】
操作レバー（１２）のグリップ部分（１２２）及び端部片（１１）がそれぞれ孔（１２２３，１１０５）を有していて、該孔内に挿入された回転軸（１３）を介して互いに結合されている請求項１から１２のいずれか１項記載の操作部材。
【請求項１４】
操作レバー（１２）のグリップ部分（１２２）、係止及び係止解除レバー片（１２１）及び端部片（１１）がそれぞれ孔（１２２３，１２１２，１１０５）を有していて、該孔内に挿入された回転軸（１３）を介して互いに結合されている請求項１０又は１１記載の操作部材。
【請求項１５】
扁平構造体ユニット（３）のためのフロント機構において、フロントプレート（２）及び請求項１から１４のいずれか１項記載の操作部材を備えており、該操作部材がフロントプレート（２）の端部に取り付けられていることを特徴とする、扁平構造体ユニットのための、操作部材を備えたフロント部材。
【請求項１６】
扁平構造体ユニットにおいて、扁平構造体ユニットが請求項１５記載のフロント機構を備えていることを特徴とする扁平構造体ユニット。
【請求項１７】
扁平構造体ユニットの構造体ユニット支持体において、構造体ユニット支持体が、請求項１５記載のフロント機構の備えられた扁平構造体ユニット（３）を係止及び係止解除可能に形成されていることを特徴とする、扁平構造体ユニットの受容のための構造体ユニット支持体。
【発明の詳細な説明】
【０００１】
本発明は、操作部材に関し、該操作部材を用いて、電子的な回路を保持する扁平構造体ユニット、例えば基板若しくはプリント回路モジュールが、大きな力を掛けることなく支持機構内に係止し、若しくは支持機構から再び取り外されるようになっているものである。この種の操作部材は既に以前から使用されていて、種々の構造で公知である。ヨーロッパ特許EP０３３０９５７B1号明細書に、操作部材のための広く知られた構造が例として示してある。該操作部材は差し込み及び引っ張り補助手段とも呼ばれ、構造体ユニット支持体内に押し込み可能な差込構造体ユニット若しくは差込構造体セットのためのフロント機構の構造部分である。差し込み及び引き補助手段がレバーを有しており、レバーが端部片に回転可能に支承されている。操作員がレバーを介して差し込み及び引き補助手段を操作して、相応の旋回（回転）によって、差込構造体ユニットの係止（レバーオン）若しくは係止解除（レバーオフ）を行う。このような運動のために、レバーが溝を有しており、溝の外側に位置する縁部が突起として形成されている。突起が、係止運動若しくは係止解除運動に際して構造体ユニット支持体の対応する縁部、特に構造体ユニット支持体の横方向結合レールに支えられる。
【０００２】
特殊な使用例においては、構造体ユニット支持体内に差し込まれた扁平構造体ユニットが著しい負荷にさらされてしまう。例えば振動モーメントが外側から構造体ユニット支持体に作用することもある。この場合、構造体ユニットが構造体ユニット支持体から外れて、差込コネクターの電気的な接触が少なくとも部分的に遮断されてしまうことは完全には排除されない。このような問題を避けるために、扁平構造体ユニットのフロント機構に設けられたレバー引っ張りグリップを錠止可能に形成することは公知である。ＷＯ９８／３４４４９号明細書に導体プレート若しくは基板のためのフロント機構を記載してあり、該フロント機構が錠止可能なレバー引っ張りグリップを有している。レバー引っ張りグリップの内部に係合レバーを支承してあり、該係合レバーがレバー引っ張りグリップ、ひいてはフロント機構並びに扁平構造体ユニットに、扁平構造体ユニットを構造体ユニット支持体内に差し込んた位置で係合して、ロックするようになっている。ロック解除、即ち構造体ユニット支持体に対する扁平構造体ユニットの係止解除が、係合スライダーを操作することによってはじめて可能である。この場合には問題として、係合スライダーの係合解除のために押圧力を上側からレバー引っ張りグリップに作用させなければならない。このことは人間工学的に不都合で、レバー引っ張りグリップの迅速な操作を妨げるものである。
【０００３】
類似の装置がドイツ連邦共和国実用新案第２９８２３１２２Ｕ１号明細書に記載してある。該明細書に開示のレバー係止及び係止解除グリップには、ばね操作式の付加的な係止部材が組み込まれている。係止部材がレバー係止及び係止解除グリップに、差込構造体ユニットの後ろ側の終端位置で係合するようになっており、該終端位置が構造体支持体内への押し込み状態に相応している。該装置において係止部材は、レバー係止及び係止解除グリップ内に組み込まれたスイッチ部材を操作若しくは解放するためにも用いられる。スイッチ部材は差込構造体ユニットの回路のために設けられている。該装置の場合にも、係止部材の操作に上側から作用する押圧力を必要とすることは問題である。これは人間工学的に不都合で、かつレバー引っ張りグリップの迅速な操作を制限するものである。
【０００４】
本発明の課題は、扁平構造体ユニットのための、ばね操作式の係止部材の組み込まれた操作部材を改善して、操作部材が簡単に操作できるようにすることである。
【０００５】
前記課題が操作部材の請求項１に記載の構成によって解決される。操作部材の有利な実施態様が従属請求項に記載してある。
【０００６】
本発明に基づく操作部材は、扁平構造体ユニットとの結合のために設けられた端部片及び操作レバーを有している。操作レバーが端部片に回転可能に支承されていて、少なくともグリップ部分及び閉鎖スライダーを備えており、閉鎖スライダーが少なくとも２つの切換位置間を移動可能である。この場合、閉鎖スライダーが第１の切換位置で操作レバーを、扁平構造体ユニットの係止状態に対応する第１のポジションに保持し、かつ第２の切換位置で操作レバーを解放するようになっている。
【０００７】
本発明に基づく前述の構成によって利点として、特にグリップ部分の上側でアクセス可能な閉鎖スライダーの操作が著しく簡単である。
【０００８】
次ぎに本発明を図示の実施例に基づき詳細に説明する。
【０００９】
図１及び図２は、扁平構造体ユニット３の係止及び／又は係止解除に役立つ本発明に基づく操作部材１の実施例を示している。操作部材が基礎部材として、扁平構造体ユニットとの結合のために形成された端部片（エンドピース）１１及び操作レバー１２を備えており、操作レバーが端部片１１に回転可能に支承されている。操作レバー１２は本発明に基づき少なくともグリップ部分１２２及び錠止スライダー１２３を有している。錠止スライダーが少なくとも２つの切換位置(Schaltstellung)Ａ，Ｂ間を移動可能である。第１の切換位置Ａで操作レバー１２は第１のポジション(Position)Ｃに保たれ、該ポジションが扁平構造体ユニット３の係止された状態(Zustand)に対応している。該ポジションは図１及び図２に示してある。これに対して、操作レバー１２は第２の切換位置Ｂで錠止スライダー１２３から解放されている。従って、操作レバー１２が第２のポジションＤへ旋回させられ得る。このように傾倒（旋回）させられた位置が、扁平構造体ユニット３の、構造体ユニット支持体から係止解除された状態に対応している。図１には操作レバー１２のポジションＣ，Ｄが矢印Ｐ２によって示してあり、かつ切換位置Ａ，Ｂが矢印Ｐ１によって示してある。
【００１０】
有利には、操作レバー１２が付加的に係止及び／又は係止解除レバー片１２１を有しており、係止及び／又は係止解除レバー片が少なくとも部分的に耐摩耗性の材料から成っている。係止及び／又は係止解除レバー片はグリップ部分１２２に結合されていて、有利にはレバー係止突起１２１０並びにレバー係止解除突起１２１１を有している。係止及び／又は係止解除レバー片１２１は構造体ユニット支持体に支えられていて、扁平構造体ユニット３の係止及び／又は係止解除を行うようになっている。図１及び図２に示す実施例では、下側の横方向結合レール４が構造体ユニット支持体の一部分として示してある。横方向結合レールには、一列の係合孔を備えた孔付きレール４０１が設けられている。係止に際してレバー係止突起１２１０が、図２に示してあるように孔付きレール４０１の１つの係合孔内に支持されているのに対して、係止解除に際してはレバー係止解除突起１２１１が孔付きレール４０１の端面４０２に支持されている。
【００１１】
図１に背面をかつ図２に側面を示してある操作部材１の端部片１１が、支持体１１０を有している。支持体が孔１１０１を有しており、該孔が扁平構造体ユニット３との例えばねじを介した固定のために用いられる。端部片１１がさらに接触ピン１１０２を有しており、該接触ピンが、所定の操作部材の備えられた扁平構造体ユニットを構造体ユニット支持体内に差込む際に構成部材間のアース接続を行う。構造体ユニット支持体内に差し込まれたユニット、例えば１つのフロントプレート（正面プレート）及び端部に配置された有利には２つの操作部材から成るフロント機構（正面機構）の装着された扁平構造体モジュールの保持のために、保持体１１０に保持ねじ１１１を設けてあってよく、該保持ねじが横方向結合レール４の横溝４００内に係合するようになっている。有利には支持体１１０が孔１１０５を有している。該孔内に回転軸１３が差し込まれるようになっており、これによって操作レバー１２が支持体１１０に回転可能に保持される。回転軸１３は同時に、付加的な係止及び係止解除レバー片１２１の孔１２１２内にも通されていてよい。これによって、操作レバー１２１のすべての構成部分が回転軸１３を介して端部片１１に結合されている。さらに、保持溝１１０４が部分的に示すフロントプレート２の下側の端部の差込のために設けられていると有利である。さらに支持体１１０が操作レバー１２に向けられた側に係合突起１１０３を有している。該係合突起に、操作レバー１２の対応する有利にはばね弾性的な係合薄片（係合ひれ）１２２２が、操作レバーを係合ポジションへ移動させた場合に係合するようになっている。
【００１２】
さらに操作部材１の端部片１１内にスイッチ部材１１２、特にマイクロスイッチが組み込まれていてよい。この種のスイッチ部材１１２の機能はヨーロッパ特許EP ０８３２５４７号明細書に記載してある。有利には錠止スライダー１２３とスイッチ部材１１２とが互いに次のように整合させられており、即ち錠止スライダー１２３が第１の切換位置Ａでスイッチ部材１１２をも作動させる。
【００１３】
操作部材１の、図１の実施例に示す操作レバー１２が本発明に基づき、グリップ部分１２２並びに、係止及び／又は係止解除レバー片１２１を有している。この場合、グリップ部分１２２が孔１２２３を有し、係止及び／又は係止解除レバー片１２１が孔１２１２を有し、かつ端部片１１が孔１１０５を有している。回転軸１３がすべての孔を通して案内されて、これによって操作レバー１２が端部片１１に回転可能に支承されるようになっていてよい。操作レバーの回転によって、構造体ユニット支持体内への扁平構造体ユニット３の係止若しくは構造体ユニット支持体からの係止解除が行われる。
【００１４】
グリップ部分１２２がグリップヘッド１２２０を有しており、該グリップヘッドが操作員によるつかみを容易にしている。グリップヘッド１２２０の前側の端部の付加的な横孔１２２１を用いて、並んで位置する異なる扁平構造体ユニットに取り付けられた複数の操作部材のグリップ部分１２２が互いに機械的に結合され、これによって該複数の操作部材の同期的な運動が可能である。図１はグリップ部分１２２を扁平構造体ユニット３の、構造体ユニット支持体内に係止された状態に対応するポジションで示している。該ポジションではグリップ部分１２２が付加的に錠止手段を用いて端部片１１に錠止されており、このためにグリップ部分１２２のばね弾性的な係合薄片１２２２が端部片１１の係合突起１１０３の後ろ側に係合している。図１には示してないものの組み込まれた戻しばね１４を介して、操作レバー１２が、下方へ向けられた力をグリップ部分１２２に作用させなくなると、図１に示す静止ポジションに戻される。
【００１５】
有利には、操作部材１の閉鎖スライダー１２３が操作スライダー１２３０を有しており、操作スライダーがグリップ部分１２２に沿って、有利にはグリップ部分の上側１２２４に沿って移動可能である。このような配置は、操作員にとって操作レバーの操作の際の良好なグリップを提供するものである。さらに、グリップ部分１２２のグリップヘッド１２２０の上側に位置する操作スライダー１２３０は極めて良好に操作可能であり、即ち操作スライダーの切換位置が操作員にとって迅速かつ確実に達成され得る。
【００１６】
さらに構造を人間工学的に改善するために、グリップ部分１２２が図２に示す実施例では外側、特に上側１２２４にくぼみ１２２５を有しており、該くぼみ（凹設部）内に操作スライダー１２３０がいわば沈められた位置を占めていて、移動可能である。特に有利には、操作スライダー１２３０ができるだけ扁平であり、外側にくぼみを有しており、該くぼみがリブを備えていてよい。
【００１７】
組み込まれたスイッチ部材１１２の作動のために、有利には閉鎖スライダー１２３が付加的にスイッチスライダー１２３１を有しており、スイッチスライダーがグリップ部分１２２内に組み込まれている。図２に示す状態では、スイッチスライダー１２３１がスイッチ部材１１２のスイッチヨーク１１２１を操作している。有利には、閉鎖スライダー１２３の操作スライダー１２３０及びスイッチスライダー１２３１が移動方向Ａ−Ｂに対してほぼ垂直に配置されていて、結合部材１２３６を介して互いに結合されている。さらに有利には操作レバー１２が、組み込まれたばね手段１２４を有しており、該ばね手段が閉鎖スライダー１２３に押し力を生ぜしめるようになっており、該押し力が第１の切換位置Ａへ向けられている。これによって閉鎖スライダー１２３に、端部片１１の支持体１１０へ向けられた締め付け力が作用している。
【図面の簡単な説明】
【図１】  本発明に基づく操作装置の原理的な構成の斜視図。
【図２】  扁平構造体ユニットのための本発明に基づく操作装置を備えたフロント機構の側面図。
【符号の説明】
１  操作部材、  ２  フロントプレート、  ３  扁平構造体ユニット、  ４  横方向結合レール、  １１  端部片、  １２  操作レバー、  １３  回転軸、  １１０  支持体、  １１１  保持ねじ、  １１２  スイッチ部材、  １２１  係止及び／又は係止解除レバー片、  １２２  グリップ部分、  １２３  閉鎖スライダー、  ４００  横溝、  ４０１  孔付きレール、  １１０１  孔、  １１０２  接触ピン、  １１０３  係合突起、  １１０４  保持溝、  １１０５  孔、  １２１０  レバー係止突起、  １２１１  レバー係止解除突起、  １２１２  孔、  １２２０  グリップヘッド、  １２２１  横孔、  １２２２  係合薄片、  １２２４  上側、  １２３０  操作スライダー、１２３１  スイッチスライダー
【図１】
0003740419.tif 000002
【図２】
0003740419.tif 000003